(57)【要約】      （修正有）【課題】把持面部の縁以外でも確実に把持対象物を挟むことができるトングを提供する。【解決手段】トングの全体は、細長板材料をＵ字形に二つ折りした形状をなしており、把持部１，２と操作部３，４と折り返し部５とを有する。一方及び他方の把持部１，２に設けられ相互に対向する把持面部８を左右方向Ｙの外側に窪むように凹状に形成する。把持面部８の一部に左右方向Ｙの内側に突設する突部１０を設ける。把持面部８が掬い面のように凹状になっており、しかもこのような凹状の把持面部８であって縁８Ａ，９Ａ相互が当接したとしても、突部１０を介して把持対象物を把持面部８よって把持できる。【選択図】図１
0003151159.tif 000002
【実用新案登録請求の範囲】
【請求項１】
相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなるトングにおいて、前記一方及び他方の把持部に設けられ相互に対向する把持面部を左右方向の外側に窪むように凹状に形成し、前記把持面部に左右方向の内側に突設する突部を設けたことを特徴とするトング。
【請求項２】
前記突部の頂部は、前記一方及び他方の把持部を閉じて前記把持面部の縁相互が突き当て状態において、長さ方向中心軸線までと同じ長さ位置、又は該長さ方向中心軸線までより低い位置に形成されていることを特徴とする請求項１記載のトング。
【請求項３】
前記突部は、前記把持面部の縁に沿って設けられる第一の突部と、この第一の突部よりも前記縁より離れて把持面部の内側に設けられる第二の突部とを備えることを特徴とする請求項１又は２記載のトング。
【請求項４】
前記第一の突部は、前記縁に沿って断続していることを特徴とする請求項３記載のトング。
【請求項５】
前記一方及び他方の把持部の把持面部にそれぞれ設けられる前記突部は、相互に対向するように設けられ、前記突部の頂部は前記把持面部とほぼ平行な平坦面によって形成されていることを特徴とする請求項１〜４のいずれか１項に記載のトング。
【考案の詳細な説明】
【技術分野】
【０００１】
本考案は、割り氷や角砂糖或いは麺類やバーベキューの肉、野菜等各種食材のような把持対象物を把持して扱うトングに関するものである。
【背景技術】
【０００２】
従来、この種のものとして相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなり、前記把持部の把持面部において、縁よりその内側を左右方向の外側に窪むように凹状に形成したものが知られている（例えば、特許文献１）。そして、このような把持面部を凹状にしたものでは、把持対象物を囲むようにできるようになる。
【先行技術文献】
【特許文献】
【０００３】
【特許文献１】実用新案登録第３１４６７２５号公報
【考案の概要】
【考案が解決しようとする課題】
【０００４】
しかし、従来技術においては、把持対象物を凹状に形成した左右一対の把持面部で挟んだ場合には、把持面部の縁で挟めば把持対象物が抜け落ちるおそれはないが、把持面部の縁相互が接している際に、凹状の把持面部相互で挟んだ場合には、把持面部相互で挟めなくなってしまうおそれがある。
【０００５】
解決しようとする問題点は、把持部の把持面部において縁よりその内側を左右方向の外側に窪むように凹状に形成したトングであっても、把持面部の縁以外でも確実に把持対象物を挟むことができるようにすることである。
【課題を解決するための手段】
【０００６】
請求項１の考案は、相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなるトングにおいて、前記一方及び他方の把持部に設けられ相互に対向する把持面部を左右方向の外側に窪むように凹状に形成し、前記把持面部に左右方向の内側に突設する突部を設けたことを特徴とするトングである。
【０００７】
請求項２の考案は、前記突部の頂部は、前記一方及び他方の把持部を閉じて前記把持面部の縁相互が突き当て状態において、長さ方向中心軸線までと同じ長さ位置、又は該長さ方向中心軸線までより低い位置に形成されていることを特徴とする請求項１記載のトングである。
【０００８】
請求項３の考案は、前記突部は、前記把持面部の縁に沿って設けられる第一の突部と、この第一の突部よりも前記縁より離れて把持面部の内側に設けられる第二の突部とを備えることを特徴とする請求項１又は２記載のトングである。
【０００９】
請求項４の考案は、前記第一の突部は、前記縁に沿って断続していることを特徴とする請求項３記載のトングである。
【００１０】
請求項５の考案は、前記一方及び他方の把持部の把持面部にそれぞれ設けられる前記突部は、相互に対向するように設けられ、前記突部の頂部は前記把持面部とほぼ平行な平坦面によって形成されていることを特徴とする請求項１〜４のいずれか１項に記載のトングである。
【考案の効果】
【００１１】
請求項１の考案によれば、凹状の把持面部によって把持対象物は囲まれるように把持されると共に、突部によっても挟まれて把持されることができる。
【００１２】
請求項２の考案によれば、突部が突き当て状態になったり、あるいは突部相互間に隙間があったりすることで、把持面部相互を確実に突き当て状態とすることができる。
【００１３】
請求項３の考案によれば、第一の突部、第二の突部によって確実に把持対象物を把持することができる。
【００１４】
請求項４の考案によれば、把持対象物に汁類がある場合には、隙間を介して排出することができる。
【００１５】
請求項５の考案によれば、対向する一方及び他方の突部によって把持対象物を挟むことができ、また突部と把持対象物との接触面積を可及的に大きくして把持することができる。
【図面の簡単な説明】
【００１６】
【図１】本考案の第１実施例を示す斜視図である。
【図２】同要部の平面図である。
【図３】同要部の一部切り欠き正面図である。
【図４】同要部の断面図である。
【図５】本考案の第２実施例を示す一部切り欠き正面図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図４は実施例１を示しており、トングの全体は、細長板材料をＵ字形に二つ折りした形状をなしており、把持部１，２と操作部３，４と折り返し部５とを有する。一方及び他方の把持部１，２は、相対向して設けられると共に把持対象物（図示せず）を把持するように左右一対設けられる。実施例では把持部１，２を、例えば６６ナイロン、抗菌剤入りガラス繊維などの合成樹脂製板状部材により形成し、折り返し部５をステンレス鋼等金属製板状部材により形成し、さらに金属製板状部材を合成樹脂製板状部材に挿入して操作部３，４を把持部１，２より延長した合成樹脂部分と折り返し部５より延長した金属部分とで併用している。
【００１９】
一方及び他方の把持部１，２を、両把持部１，２の常に中間に位置する長さ方向中心軸線Ｘの下端側に備える。相対向して一方及び他方の把持部１，２の上方に延びると共に一方及び他方の把持部１，２による把持・把持解除操作を行うことができるように一方及び他方の操作部３，４は、左右一対に設けられる。折り返し部５は、一方及び他方の操作部３，４を一方及び他方の上端部において一体的に連結し上方に向けて左右方向に折り返して形成される。さらに、一方及び他方の操作部３，４間に使用者による力がかかっていない状態では、折り返し部５の弾性力によって一方及び他方の把持部１，２は開いた状態に保持されている。
【００２０】
そして、前記一方及び他方の把持部１，２は相互に対向するようにやや幅広な略平板状に形成されており、そして下端には縁に沿ってそれぞれ３箇所切り込み6，７が間隔をおいて形成されて、把持部１，２は４本の指先形状のように形成されている。また把持部１，２の対向する把持面部８，９は、符号Ｙで示す左右方向の外側に窪むように凹状に形成してスプーンのような掬い面のように設けている。この把持面部８，９に、左右方向Ｙの内側に突設する突部10，11がそれぞれ設けられる。実施例では突部10は把持面部８の縁８Ａに沿って隙間12を介して４箇所断続して設けられる第一の突部10Ａと、この第一の突部10Ａよりも縁８Ａより離れて把持面部８の内側に１箇所設けられる第二の突部10Ｂとからなる。これら第一の突部10Ａ、第二の突部10Ｂは、ネコ類などの足裏に見られる盛り上がった無毛部分である肉球にようにあらわれている。同様に、突部11は把持面部９の縁９Ａに沿って隙間（図示せず）を介して４箇所断続して設けられる第一の突部11Ａと、この第一の突部11Ａよりも縁９Ａより離れて把持面部９の内側に１箇所設けられる第二の突部11Ｂとからなる。
【００２１】
そして、図３，４に示すように第一の突部10Ａの第一の頂部14は把持面部８とほぼ平行な平坦面によって形成されており、この第一の頂部14は該第一の突部10Ａの近傍にある把持面部８の縁８Ａより低く形成されている。このため縁８Ａを結ぶ第一の仮想平面15と第一の頂部14との間には間隙16が形成される。同様に、第二の突部10Ｂの第二の頂部17も把持面部８とほぼ平行な平坦面によって形成されており、この第二の頂部17は該第二の突部10Ｂの近傍にある把持面部８の縁８Ａより低く形成されている。この結果、第一の突部10Ａの第一の頂部14、第二の突部10Ｂの第二の頂部17は、前記一方及び他方の把持部１，２を閉じて前記把持面部８，９の縁８Ａ，９Ａ相互が突き当て状態において、高さＨは長さ方向中心軸線Ｘまでより低い位置に形成されている。
【００２２】
突部11の第一の突部11Ａ、第二の突部11Ｂも同様に形成されている。尚、前記把持部１，２、操作部３，４の厚みより弾性弯曲状部である折り返し部５の厚みは薄く形成され、折り返し部５の幅方向Ｙの少なくとも一方の縁８Ａ，９Ａに円弧部（図示せず）を幅方向に形成している。
【００２３】
一方の把持面部８にある第一の突部10Ａは、他方の把持面部９にある第一の突部11Ａに対向し、一方の把持面部８にある第二の突部10Ｂは、他方の把持面部９にある第二の突部11Ｂに対向するようになっている。
【００２４】
次に前記構成についてその作用を説明する。使用時は一方及び他方の操作部３，４に指（図示せず）を掛けて両者間を狭めると、折り返し部５の弾性力に抗して把持部１，２間が狭まって把持対象物を把持して扱うことができる。
【００２５】
そして、把持部１，２間を狭めて把持対象物を把持する状態において、把持面部８，９に把持対象物が入り込み、しかも縁８Ａ，９Ａ相互が当接して、把持面部８，９の間に大きな空間ができたとしても、この空間にある把持対象物は突部10，11に挟まれて把持されるので、ここから抜け出るようなことはない。
【００２６】
以上のように、前記実施例では請求項１に対応して、一方及び他方の把持部１，２に設けられ相互に対向する把持面部８，９を左右方向Ｙの外側に窪むように凹状に形成し、この把持面部８，９の一部に左右方向Ｙの内側に突設する突部10，11を設けたことにより、把持面部８，９が掬い面のように凹状になっており、しかもこのような凹状の把持面部８，９であって縁８Ａ，９Ａ相互が当接したとしても、突部10，11を介して把持対象物を把持面部８，９によって把持できる。
【００２７】
前記実施例では請求項２に対応して、第一の突部10Ａの第一の頂部14、第二の突部10Ｂの第二の頂部17は、一方及び他方の把持部１，２を閉じて把持面部８，９の縁８Ａ，９Ａ相互が突き当て状態において、長さ方向中心軸線Ｘまでより低く形成されていることなどで、縁８Ａ，９Ａ相互が当接しても対向する第一の突部10Ａ，11Ａ、第二の突部10Ｂ，11Ｂ相互間には隙間Ｌが形成されて、その隙間Ｌに把持対象物を挟むことで確実に把持できる。
【００２８】
前記実施例では請求項３に対応して、縁８Ａ，９Ａに沿って設けられる第一の突部10Ａ，11Ａと、この第一の突部10Ａ，11Ａよりも縁８Ａ，９Ａより離れて把持面部８，９の内側に設けられる第二の突部10Ｂ，11Ｂとを備えることで、把持対象物を縁８Ａ，９Ａ側の第一の突部10Ａ， 11Ａ、さらに内側の第二の突部10Ｂ，11Ｂによって確実に把持することができる。
【００２９】
前記実施例では請求項４に対応して、第一の突部10Ａ，11Ａは、縁８Ａ，９Ａに沿って断続していることにより、把持対象物に汁類がある場合には、汁類が溜まるようなことなく第一の突部10Ａ， 11Ａ間の隙間12を介して排出することができる。
【００３０】
前記実施例では請求項５に対応して、一方及び他方の把持部１，２の把持面部８，９にそれぞれ設けられる突部10（10Ａ，10Ｂ），11（11Ａ，11Ｂ）は、相互に対向するように設けられることにより、対向する突部10，11相互で把持対象物を挟むことができる。また、前記第一の突部10Ａ，11Ａ、第二の突部10Ｂ，11Ｂの第一の頂部14、第二の頂部17は把持面部８，９とほぼ平行な平坦面によって形成されていることにより、突部10，11と把持対象物との接触面積を可及的に大きくして把持対象物を突き刺すようなことなく把持することができる。
【実施例２】
【００３１】
図５に示す実施例２は前記実施例１と同一部分には同一符号を付し、その詳細な説明を省略する。実施例２においては、第一の突部10Ａの第一の頂部14、第二の突部10Ｂの第二の頂部17の高さＨ´は、一方及び他方の把持部１，２を閉じて把持面部８，９の縁８Ａ，９Ａ相互が突き当て状態において、長さ方向中心軸線Ｘまでと同じ長さ位置に形成されていることなどで、突部10Ａ，10Ｂ，11Ａ，11Ｂ相互が突き当たっても縁８Ａ，９Ａ相互を当接することができ、縁８Ａ，９Ａによって確実に挟んで把持対象物を把持することができる。
【産業上の利用可能性】
【００３２】
以上のように本考案にかかるトングは、各種の用途に適用できる。
【符号の説明】
【００３３】
１，２  把持部
３，４  操作部
５  折り返し部
８，９  把持面部
10，11  突部
10Ａ，11Ａ  第一の突部
11Ａ，11Ｂ    第二の突部
14  第一の頂部
17  第二の頂部
Ｘ  長さ方向中心軸線
Ｙ  左右方向
【図１】
0003151159.tif 000003
【図２】
0003151159.tif 000004
【図３】
0003151159.tif 000005
【図４】
0003151159.tif 000006
【図５】
0003151159.tif 000007